(57)【要約】      （修正有）【課題】軟質の壁に一層迅速に締結することを可能にする吊り下げシステムを提供する。【解決手段】吊り下げシステムは、吊り下げレール３と、吊り下げレール３を軟質の壁に取り付ける取り付けクリップ１とを備えている。各取り付けクリップは平板５から形成され、使用中に取り付けクリップが壁に接触する背部７を有する。各取り付けクリップは、前部９で突出したカム１１，１３を備えている。吊り下げレール３は押し出し成型の輪郭を有する。その部分３ａは、Ｃ字形の横断面を有し、二つの互いに離れている縁部１５，１７を備えている。上側の縁部１５は上側のカム１１の背後に掛けられ、下側の縁部１７は、下側のカム１３の範囲で嵌め込み係合される。さらに各クリップは、二つの折り曲げくぎ部１９を備え、これらは背部７で突出し、軟質の壁に押し込むことができる。前方の部分９ｂは、押圧面を形成する。【選択図】図２
2019181197.tif 000002
【特許請求の範囲】
【請求項１】
壁に取り付ける少なくとも二つの取り付けクリップと、前記取り付けクリップに接続可能な吊り下げレールとを備え、各前記取り付けクリップは、使用中に前記取り付けクリップが前記壁に接触する背部と、前記背部と反対側の前部とを有し、各前記取り付けクリップは、前記前部で突出した二つのカムを備え、前記吊り下げレールは、二つの互いに離れている対向する縁部を備え、これは前記カムのうち一方の背後に掛けることが可能であり、また前記カムのうち他方に嵌め込み係合が可能であるか、又は両者の前記カムに嵌め込み係合が可能である、吊り下げシステムであって
さらに各前記取り付けクリップは、前記背部で突出する少なくとも一つのくぎ部を備え、前記くぎ部は前記壁の中へ押し込むことが可能であり、前記くぎ部の各側で前記取り付けクリップの前方の部分が、押圧面を形成し、
各前記取り付けクリップは金属の平板から形成され、前記カム及び前記くぎ部は、板部分を前記平板から外へ曲げることにより形成され、前記壁に取り付けるべき前記平板からは、下側のカムは、上側のカムから遠ざかるように延び、次に前記上側のカムに近づくように延び、
前記上側のカムに向けて延びる部分は、前記吊り下げレールの下側の縁部のためのガイドを形成し、前記吊り下げレールが前記取り付けクリップに嵌め込み係合されたときに前記カムで前記下側の縁部をガイドすることを特徴とする吊り下げシステム。
【請求項２】
前記カムのうち一方が、他方のカムから遠ざかった側であって前記平板に取り付けられた前記カムの部分に近接して、先の尖った突起を備え、
前記吊り下げレールが前記取り付けクリップに接するときに、前記突起は、前記吊り下げレールの前記下側の縁部に接触し、前記取り付けクリップと前記吊り下げレールとの間の公差を補正し、また使用中に前記取り付けクリップに対して前記吊り下げレールがシフトすることを防止することを特徴とする請求項１記載の吊り下げシステム。
【請求項３】
先の尖った前記突起は、先の尖った工具で前記板部分を部分的に型押しすることにより、形成されることを特徴とする請求項２記載の吊り下げシステム。
【請求項４】
吊り下げシステムは押圧具を備え、前記押圧具は前記取り付けクリップに当てられることが可能であり、前記取り付けクリップに面した側に、接触部分を有し、前記接触部分は、前記取り付けクリップの前記押圧面に接触し、前記取り付けクリップから遠ざかった側では、前記押圧具は二つのさらに押圧する面を備え、二つの前記さらに押圧する面は、前記取り付けクリップの前記押圧面より大きいことを特徴とする請求項１，２又は３記載の吊り下げシステム。
【請求項５】
前記押圧具の二つの前記さらに押圧する面は、凹面の湾曲面であることを特徴とする請求項４記載の吊り下げシステム。
【請求項６】
前記押圧面は平坦であり、突起を有していないことを特徴とする請求項１ないし５のいずれか１項記載の吊り下げシステム。
【発明の詳細な説明】
【技術分野】
【０００１】
本発明は、吊り下げシステムに関し、即ち、壁に取り付ける少なくとも二つの取り付けクリップと、これらに接続された吊り下げレールとを備え、各取り付けクリップは、使用中に取り付けクリップが壁に接触する背部と、背部と反対側の前部とを有し、各取り付けクリップは、前部で突出した二つのカムを備え、吊り下げレールは、二つの互いに離れている対向する縁部を備え、これはカムのうち一方の背後に掛けることが可能であり、またカムのうち他方に嵌め込み係合が可能であるか、又は両者のカムに嵌め込み係合が可能である、吊り下げシステムに関する。
【背景技術】
【０００２】
請求項１の前文に係る吊り下げシステムは、オランダ特許１０１１９３５Ａ号で既知である。この既知の吊り下げシステムでは、取り付けクリップはプラスチックから形成され、壁に対してネジ止めできるようにした孔を有する。
【発明の概要】
【０００３】
吊り下げレールは、さまざまな取り付けクリップを用いて、直線に沿って壁に取り付けなければならない。吊り下げコード又は吊り下げロッドであれば、吊り下げレールにフィットさせることができ、壁に孔を形成する必要なく、物品を吊り下げるようになる。
【０００４】
本発明の目的は、軟質の壁に一層迅速に締結することが可能な、請求項１の前文に記載した方式の吊り下げシステムを提供することである。
この目的のために、本発明に係る吊り下げシステムは、さらに各取り付けクリップは、背部で突出する少なくとも一つのくぎ部を備え、くぎ部は壁の中へ押し込むことが可能であり、くぎ部の各側で取り付けクリップの前方の部分が、押圧面を形成し、
各取り付けクリップは金属の平板から形成され、カム及びくぎ部は、板部分を平板から外へ曲げることにより形成され、壁に取り付けるべき平板からは、下側のカムは、上側のカムから遠ざかるように延び、次に上側のカムに近づくように延び、
上側のカムに向けて延びる部分は、吊り下げレールの下側の縁部のためのガイドを形成し、吊り下げレールが取り付けクリップに嵌め込み係合されたときにカムで下側の縁部をガイドすることを特徴とする。
取り付けクリップは、手で壁内に押し込むか、又はハンマーで打ち込むことが可能であり、この後にレールは、単に手で取り付けクリップに嵌め込み係合されることができる。くぎ部が、逆とげ部に形成されてよく、望まれない形で壁から外れてしまうことを防止する。
【０００５】
なお、米国特許公開２００７２３５６２２号は、板から曲げて作成されたくぎ部を有する金属板で構成された吊り下げフックを開示している。このくぎ部は、壁の中に押し込むことが可能である。このフックは、吊り下げレールを壁に取り付けるのには、適切でない。
【０００６】
取り付けクリップと吊り下げレールとの間の公差を補正し、また使用中に取り付けクリップに対して吊り下げレールがシフトすることを防止することのために、本発明の取り付けシステムの実施形態は、カムのうち一方が、他方のカムから遠ざかった側であって平板に取り付けられたカムの部分に近接して、先の尖った突起を備え、吊り下げレールが取り付けクリップに接するときに、突起は、吊り下げレールの下側の縁部に接触することを特徴とする。
【０００７】
先の尖った突起を用いるための好ましい手法では、先の尖った工具で板部分を部分的に型押しする。
【０００８】
本発明の吊り下げシステムの好ましい実施例によれば、吊り下げシステムは押圧具を備え、押圧具は取り付けクリップに当てられることが可能であり、取り付けクリップに面した側に、接触部分を有し、接触部分は、取り付けクリップの押圧面に接触し、取り付けクリップから遠ざかった側では、押圧具は二つのさらに押圧する面を備え、二つのさらに押圧する面は、取り付けクリップの押圧面より大きい。
【０００９】
好ましくは、取り付けクリップの押圧面は平坦であり、突起を有していなくて、それに対して押すことが十分にできる。好ましくは、押圧具のさらに押圧する面は、凹面の湾曲面であり、親指でそれに対して押すことが十分にできる。
【図面の簡単な説明】
【００１０】
図面に図示したように発明に係る吊り下げシステムの例示的な実施形態を参照して、本発明を下記に述べるように一層詳細に説明することとする。
【００１１】
【図１】本発明の吊り下げシステムの第１実施形態を示す。
【図２】図１に示した吊り下げシステムを示す横断面図である。
【図３】図１，２に示した吊り下げシステムの取り外した取り付けクリップを前から見て示す。
【図４】図３に示した吊り下げシステムを背後から見て示す。
【図５】本発明の吊り下げシステムの第２実施形態の横断面図である。
【図６】図５に示した吊り下げシステムの取り付けクリップの側面図である。
【図７】本発明の吊り下げシステムの押圧用の付属品を示す。
【図８】図７に示した押圧用の付属品の背面図である。
【図９】取り付けクリップにおける押圧用の付属品を前から見て示す。
【図１０】取り付けクリップにおける押圧用の付属品を背後から見て示す。
【発明を実施するための形態】
【００１２】
図１，２はそれぞれ、本発明の吊り下げシステムの第１実施形態を示す、斜視図及び横断面図である。吊り下げシステムは、壁に取り付けるための数個の取り付けクリップ１を有する。図面ではその一つを示している。さらに吊り下げシステムは、数個の吊り下げレール３を有し、図面ではその一つを示している。各吊り下げレールは、二つ以上の取り付けクリップを介して壁に締結されている。各取り付けクリップは、平板５から形成され、使用中に壁と取り付けクリップとが対面する背部７と、背部と反対側の前部９とを備えている。各取り付けクリップは、前側で突出しているカム（ｃａｍ，例えば舌片、フックであってよい）１１，１３を備えている。
【００１３】
吊り下げレール３は押し出し成型の輪郭を有し、その横断面は、全長にわたって同じになっている。横断面の部分３ａは、Ｃ字形であり、二つの互いに離れている縁部１５，１７を備えている。上側の縁部１５は上側のカム１１の背後に掛けられ、下側の縁部１７は、下側のカム１３の範囲で嵌め込み係合される。さらに各クリップは、二つの折り曲げくぎ部（ｎａｉｌ，例えば押しピンであってよい）１９を備え、これらは背部７で突出し、軟質の壁（プラスターボードの壁又は木製の壁）に押し込むことができる。これにより、前方の部分９ｂは、押圧面を形成する。またくぎ部１９は平板５の平面から外に曲げられる。
【００１４】
カム１１，１３は、平板５の平面から外に曲げられ、前部９から突出しているリップで構成されている。リップ１１の一つは、フックの中に向けて曲げられ、リップ１３のもう一つからは、第１部分１３ａが前部に対して斜め方向に傾斜している。第２部分１３ｂが前部に対して斜め方向に傾斜し、第１部分と反対方向に向いている。これは図２に示している。レールが取り付けクリップに嵌め込み係合されたときに、まずレールは、カム１１中の上側の縁部１５に引っ掛けられ、その後に、下側の縁部１７がカム１３の斜めに延びた第２部分１３ｂを越えて押圧される。この二つの縁部は、互いに離れるようにやや弾性的に曲げられ、下側の縁部１７が第１部分１３ａの範囲でスライドしたときに、弾性的にもどる。
【００１５】
図３，４は、それぞれ前側と後側とから見た、取り外した取り付けクリップを示す斜視図である。押圧面９ｂは平坦であり、突起を有していない。さらにスロット２１が取り付けクリップに形成され、コード又は弾性材を引掛ける。また孔２３が、二つのくぎ部の間の途中部分で取り付けクリップに形成されている。押圧する物品を、この孔に、押圧中に脱落しないように点で挿入することが可能である。
【００１６】
図５，６は、本発明に係る吊り下げシステムの第２実施形態を示す。吊り下げレール３は上述した第１実施形態のものと同一である。取り付けクリップ１は第１実施形態のものと異なる。即ち、下側のカム１３は、上側のカム１１から遠ざかった側であって平板５に取り付けられたカムの部分に近接して、先の尖った突起１３ｃが設けられている。この突起１３ｃは、製造上の公差の結果として、取り付けクリップのカムと吊り下げレールの縁部との間のいかなる遊びも補正するように意図されている。吊り下げレール３が取り付けクリップに嵌め込み係合されたときに、突起１３ｃは吊り下げレール３の下側の縁部１７に接触し、使用中に取り付けクリップに対して吊り下げレールがスライドすることを防止する。突起１３ｃは、先の尖った工具で板部分を部分的に押圧することにより、形成される。
【００１７】
図７，８，９，１０は押圧具２５を示し、これは手動操作で取り付けクリップ１のくぎ部１９を壁に押し付ける。押圧具２５は取り付けクリップ１に当てることができる。押圧具２５は、取り付けクリップに面した側に、接触リブ（接触部分）２９を有する。壁に取り付けクリップ１のくぎ部を押し込む間に、接触リブ２９は取り付けクリップ１の押圧面９ｂに接触する。取り付けクリップから遠ざかった側では、押圧具２５は二つのさらに押圧する面２７を備えている。これらは、取り付けクリップ１の押圧面９ｂより大きい。これらのさらに押圧する面２７は、凹面の湾曲面であり、押圧具２５は親指によって強く押圧されることが可能である。
【００１８】
本発明は、添付した図面に基づいて上記のように説明してきたが、図面に示したいかなる実施形態にも本発明は限定されないことは注目するべきことである。本発明は、添付する請求項で規定される本発明の範囲内で、図面に示した実施形態から逸脱するすべての実施形態にも及ぶものである。
【図１】
2019181197.tif 000003
【図２】
2019181197.tif 000004
【図３】
2019181197.tif 000005
【図４】
2019181197.tif 000006
【図５】
2019181197.tif 000007
【図６】
2019181197.tif 000008
【図７】
2019181197.tif 000009
【図８】
2019181197.tif 000010
【図９】
2019181197.tif 000011
【図１０】
2019181197.tif 000012
【外国語明細書】
2019181197000001.pdf